(57)【要約】      （修正有）【課題】有効な冷感効果（人が着用して冷たいと感じる性能）を発揮することに加えて、着用開始後、相当な時間が経過した後でも振ることによって冷たさが回復することができる身体操着品を提供する。【解決手段】吸水性ならびに保水性が高い冷感生地１を備えたアンダーウェア、スポーツウェア、フェイスガード、アームカバー、手袋などの身体操着品であって、冷感生地１は、滴下法による吸水性試験結果が２秒未満の吸水性であり、保水性試験結果が１８０％〜２１０％の保水率である。冷感生地１を構成する構成糸の接触冷感値（ＱＭＡ×値）が０．２８Ｗ／ｃｍ２以上のポリエステル繊維糸である。冷感生地１は着用者の皮膚を覆う領域に配置されている。さらに、メッシュ生地２などの通気性の高い生地を併用する。【選択図】図１
0003232073.tif 000002
【実用新案登録請求の範囲】
【請求項１】
吸水性ならびに保水性が高い冷感生地を備え、
前記冷感生地は、滴下法による吸水性試験結果が２秒未満の吸水性であり、保水性試験結果が１８０％〜２１０％の保水率であり、
前記冷感生地を構成する構成糸の接触冷感値（ＱＭＡ×値）が０．２８W/cm２以上のポリエステル繊維糸であり、
前記冷感生地が着用者の皮膚を覆う領域に配置されたことを特徴とする冷感装着品。
【請求項２】
前記冷感装着品が、アンダーウェア、スポーツウェア、フェイスガード、アームカバー、手袋、動物用衣料品、動物用ハーネスから選択された一種であることを特徴とする請求項１に記載の冷感装着品。
【請求項３】
前記冷感生地は前記構成糸を編糸として用いた編地であり、
前記構成糸として、繊維断面が凹凸を備えたポリエステル繊維製の異形糸を用い、
前記編地は少なくとも表面側に凸部を備え、
前記凸部は、３本以上の前記編糸が密接する部分を備えると共に、平面視において環状部が並べられた並列形態を備え、
ことを特徴とする請求項１又は２に記載の冷感装着品。
【請求項４】
前記構成糸は、繊維断面が略放射状の複数の繊維凸部を備えた異形糸であり、且つ、鉱物からなる冷感結晶体のナノ粒子を含有することを特徴とする請求項１〜３の何れかに記載の冷感装着品。
【請求項５】
前記冷感装着品がアンダーウェア又はスポーツウェアの上衣であり、
前記上衣の前身頃は、首回りから胸にかけて前記冷感生地が配置され、
前記アンダーウェアの後身頃は、首回りから肩甲骨の間にかけて前記冷感生地が配置され、且つ、この後身頃の前記冷感生地の下から下方に向けて前記冷感生地よりも通気性の高いメッシュ生地が配置されていることを特徴とする請求項１〜４の何れかに記載の冷感装着品。
【請求項６】
請求項５に記載の冷感装着品とその上に着用するファンウエアとを備え、
前記ファンウエアは、左右の体側に外部の空気を内部に送る空調ファンを備え、
前記空調ファンの間に前記メッシュ生地が位置するものであり、
前記空調ファンによって送られた空気の少なくとも一部が、前記メッシュ生地から前記冷感生地を通って前記首回りから外部に抜けるように導くことを特徴とする冷感装着品とファンウエアの組み合わせ。
【考案の詳細な説明】
【技術分野】
【０００１】
本考案は、冷感装着品及び冷感装着品とファンウエアの組み合わせに関するものである。
【背景技術】
【０００２】
今日、熱中症対策の一つの手段として、冷感性能を持った衣服などの冷感装着品の開発が進められている。
【０００３】
特許文献１では、肌側面に配される編地において、構成単糸の横断面の外周部が１個以上の凸部を有する扁平断面形状を有し、捲縮率が実質的に０％である合成繊維を使用する気化熱冷却編地であり、好ましくは、扁平断面形状の合成繊維の横断面の扁平度が１ ． ０ 〜 ５ であり、好ましくは、肌側面とは反対側の面に、ポリエステル捲縮糸が配されているダブルニットである気化熱冷却編地によって優れたクーリング効果を奏する気化熱冷却編地によって、アンダーウェアやスポーツウェアを構成することが開示されている。
ところが、衣服、特に上衣において、気化熱冷却編地を配置する位置に関しては十分な検討がなされていない。また、繰り返し気化熱を有効に利用するには保水性と吸水性のバランスを必要とするものの、かかる観点からの十分な考察がなされていない。
【０００４】
また特許文献２では、「芯鞘構造を有する混繊糸であって、ポリエチレンを主たる構成成分とする繊維を鞘糸、ポリエステル、ポリアミド、ポリオレフィンから選択される少なくとも１種以上の繊維形成性重合体を主たる構成成分とする繊維を芯糸とすることを特徴とする冷感に優れた混繊糸」が提案されている。
ところが、使用開始にあたっては冷感効果（ヒヤリとする感覚を着用者に与える性能）を発揮することができるものの、使用を開始した後、時間が経つに従って冷感効果が低下することを避けることができず、生暖かい感覚を着用者に与えていた。
【０００５】
また今日、特許文献３に示すような空調ファンを備えたファンウエアが実用化されているが、特許文献１〜３では、アンダーウェアやスポーツウェアの上衣とファンウエアの組み合わせによって良好な冷却効果を得ると言う観点からの考察がなされていない。
【先行技術文献】
【特許文献】
【０００６】
【特許文献１】特開２０１９−８１９８１号公報
【特許文献２】特開２０１３ー１３９６５４号公報
【特許文献３】特開２０２０−１９３４１６号公報
【考案の概要】
【考案が解決しようとする課題】
【０００７】
本考案は、有効な冷感効果（人が着用して冷たいと感じる性能）を発揮することに加えて、着用開始後、相当な時間が経過した後でも振ることによって冷たさが回復することができる身体操着品の提供を課題とする。
また本考案は、空調ファンを備えたファンウエアとアンダーウェアやスポーツウェアの上衣との効果的な組み合わせの提供を課題とする。
【課題を解決するための手段】
【０００８】
本考案は、吸水性ならびに保水性が高い冷感生地を備え、前記冷感生地は、滴下法による吸水性試験結果が２秒未満の吸水性であり、保水性試験結果が１８０％〜２１０％の保水率であり、前記冷感生地を構成する構成糸の接触冷感値（ＱＭＡ×値）が０．２８W/cm２以上のポリエステル繊維糸であり、前記冷感生地が着用者の皮膚を覆う領域に配置されたことを特徴とする冷感装着品を提供することによって上記の課題を解決する。
前記冷感装着品としては、様々なものを挙げることができるが、アンダーウェア、スポーツウェア、フェイスガード、アームカバー、手袋、動物用衣料品、動物用ハーネスなどを例示することができる。
本考案の冷感装着品の開発に際して鋭意研究したところ、着用開始後、時間が経つに従って冷感効果が低下することを避けることはできないものの、を生地をつまんで振るなど人の装着部位から浮かせて動かすことによって、気化熱を利用して、冷感効果を回復させることが可能であることを知見した。
従来の繊維製品では、十分な水を素早く吸い込むように吸水性を高めのことを主眼としたものであったが、保水性が低い場合には気化熱を発生させる水分が早期に蒸発してしまい、身体操着品を振ったとしても冷感効果を回復させることが困難であった。
そこで本考案は、吸水性と保水性とのバランスをとることによって着用開始後、相当時間が経ったとしても気化熱を有効利用することで、冷感効果を回復させることが可能であることを知見し、さらに、糸についても熱伝導率が高くて接触冷感を発揮するとともに、気化熱を効率的に発揮させることに有効な毛細管現象が起こりやすい糸を用いることによって、本考案を完成させたものである。
【０００９】
本考案は、編糸から構成された編地を冷感生地として用いることができるが、前記編糸として繊維断面が凹凸を備えたポリエステル繊維製の異形糸を用いることが適当である。これによって糸自体が毛細管現象の生じやすい構造を備えている。
また、前記編地は表面側に凸部を備え、この凸部は３本以上の前記編糸が密接する部分を備えると共に平面視において環状部が並べられた並列形態を備えているものであることが望ましい。多くの前記編糸が密接していることによって、一般的には保水性の低い編糸であったとしても、編地全体として比較的多くの水分を保持しておくことができる。従って、冷感生地の部分を振ることによって水分循環が生じて、水分の蒸発によって気化熱が奪われて糸及び編地自体の温度を低下させることができる。
【００１０】
この冷感生地は、ＪＩＳ  Ｌ  １９０７＿２０１０に準拠する繊維製品の吸水性試験験方法（滴下法）による吸水性試験結果が２秒未満であり、ＱＴＥＣ  ＴＭ１１Ｂ法準用による保水性試験結果が保水率１８０％〜２１０％であることも望ましい。この吸水性と保水性とのバランスによって着用開始後、相当時間が経ったとしても気化熱を有効利用することで、冷感効果を回復させることが可能である。
【００１１】
前記編糸は、繊維断面が略放射状の複数の繊維凸部を備えた異形糸として実施することができる。これによって、気化熱による温度低下を実現するために有効な毛細管現象を促進することができるし、前記の編地の構造と共に人の肌に対する接触面積をいたずらに大きくすることを抑制することができる。
【００１２】
前記編糸には熱伝導率が高いものが適しており、接触冷感値（ＱＭＡ×値）が０．２８W/cm２以上の編糸を好適に用いることができる。熱伝導率が高い糸を用いるこれによって、糸自体の温度は同じであっても、人が触った時に冷たく感じることができる接触冷感性を発揮することができる。
前記編糸は、鉱物からなる冷感結晶体のナノ粒子を含有するものとして実施することによって、熱伝導性を高めて接触冷感値（ＱＭＡ×値）が０．２８W/cm２以上を実現することができる。
【００１３】
本考案の前記冷感装着品は、アンダーウェア又はスポーツウェアの上衣として実施することもできる。
前記上衣の前身頃は、首回りから胸にかけて前記冷感生地が配置され、前記アンダーウェアの後身頃は、首回りから肩甲骨の間にかけて前記冷感生地が配置され、且つ、この後身頃の前記冷感生地の下から下方に向けて前記冷感生地よりも通気性の高いメッシュ生地が配置されているものとすることができる。
前記冷感装着品の上（外側）に、ファンウエアを着用することも好ましい。前記ファンウエアは、左右の両脇に外部の空気を内部に送る空調ファンを備え、前記空調ファンの間に前記メッシュ生地が位置するものとすることができる。これによって、前記空調ファンによって送られた空気が、前記メッシュ生地から前記冷感生地を通って前記首回りから外部に抜けるように導くことができる。
【考案の効果】
【００１４】
本考案は、有効な冷感効果を発揮することに加えて、着用開始後、相当な時間が経過した後でも振ることによって冷たさが回復することができる身体操着品の提供をなすことができたものである。
また本考案は、空調ファンを備えたファンウエアとアンダーウェアやスポーツウェアの上衣との効果的な組み合わせを提供することができたものである。
【図面の簡単な説明】
【００１５】
【図１】本考案の第１の実施の形態に係る冷感装着品を示すもので（Ａ）は正面図、（Ｂ）背面図。
【図２】本考案の第２の実施の形態に係る冷感装着品を示すもので（Ａ）は正面図、（Ｂ）背面図。
【図３】本考案の第１の実施の形態に係る冷感装着品とファンウエアとの組み合わせに係る説明図。
【図４】熱と汗のマッピングの概要を示す人体の前と後ろの説明図。
【図５】本考案の実施の形態に係る冷感装着品に用いられる冷感生地の表面側の斜視図。
【図６】同冷感生地の編地の編組織を示す拡大平面図。
【図７】同冷感生地の編地の組織図。
【図８】同冷感生地の編糸の繊維拡大断面図。
【図９】（Ａ）は本考案の第３の実施の形態に係る冷感装着品の側面図、（Ｂ）は本考案の第４の実施の形態に係る冷感装着品の側面図。
【図１０】（Ａ）は本考案の第５の実施の形態に係る冷感装着品の側面図、（Ｂ）は本考案の第６の実施の形態に係る冷感装着品の側面図。
【図１１】本考案の実施例と比較例に係る冷感生地の乾燥性と温度の試験結果の説明図。
【図１２】本考案の実施例に係る同冷感生地の冷感回復性の試験結果の説明図。
【図１３】本考案の実施例に係る冷感装着品の試験結果の説明図。
【図１４】本考案の実施例に係る冷感装着品の他の試験結果の説明図。
【考案を実施するための形態】
【００１６】
以下、図面を参照しつつ本考案の実施の形態を説明する。
この実施の形態に係る冷感装着品について図１を参照して説明するが、これに用いられる冷感生地１については図５以降を参照して後述する。
【００１７】
（アンダーウェアの上衣）
図１に示す冷感装着品は、アンダーウエアとして実施されている。アンダーウエアは、上半身に直に着用される上衣であって、袖なしのタンクトップ型やＴシャツや前びらきのシャツ型など様々な形態をとることができる。この実施の形態では左右の袖を備えた前身頃と後身頃と備えているが、襟は備えていない。前身頃は、首回りから胸にかけて冷感生地１が配置されており、その他の部分には一般的な身頃生地３が用いられている。身頃生地３には、ポリエステルやナイロンなどの合成繊維などによる吸汗速乾素材や綿布などの天然繊維など、肌着に用いられる種々の生地を採用することができる。後身頃には、首回りから肩甲骨の間の脊椎対応部位にかけて冷感生地１が配置されているものである。そしてこの冷感生地１に隣接してメッシュ生地２が配置され、このメッシュ生地２は下方（下半身の方向）に向けて伸びている。この例ではメッシュ生地２は、後身頃の下端にまで達しているが、ウェスト部分（胴回りの一番細い部分）にまで達しておれば、それより下方は身頃生地３など他の生地が来ても構わない。
【００１８】
（スポーツウェアの上衣）
次に図２に示す冷感装着品は、スポーツウエアとして実施されている。スポーツウエアは、上半身に直に着用されることもあるポロシャツなどの上衣であって、様々な形態をとることができる。この実施の形態では襟と左右の袖を備えた前身頃と後身頃と備えている。前身頃は、首回りから左右の肩並びに胸にかけて冷感生地１が配置されており、その他の部分には一般的な身頃生地３が用いられている。後身頃には、首回りから左右の肩にかけて冷感生地１が配置されているものであり、他の部分には一般的な身頃生地３が用いられている。
【００１９】
（ファンウエア）
他方、今日特許文献３に示すような空調ファンを備えたファンウエアが実用化されている。前記ファンウエアは、図３に示すように、後身頃側の左右の体側下部（ウエストの付近）に外部の空気を内部に送る空調ファン４を備えているものが多い。
上記の実施の形態にかかるスポーツウエア及びアンダーウエアは、単独で用いることもできるが、ファンウエアと併用することが効果的である。特にアンダーウエアを肌の上に着用し、その上にファンウエアを着用すると、図３に示すように、左右両側の空調ファン４の間に後身頃のメッシュ生地２が位置するものとなる。その結果空調ファン４によって送られた空気の少なくとも一部は、メッシュ生地２から冷感生地１を通って首回りから外部に抜けるように導かれる。
【００２０】
（熱と汗のマッピング）
平均気温が２９度の夏季に体重６５kgの人が室内で活動すると、一日の汗の量は３リットル程度、これを超える高温環境の工場や屋外などで８時間働くと、最大で１２リットルにも達すると言われている。
図３に示すような着用形態を採ると、着用者がかく汗とファンウエアで使われる空調ファン４を使って、気化潜熱を発生させることによって、体温を効果的に下げることができる。 
図４は、熱と汗のマッピングの概要を示す人体の前と後ろの図であって、前ではみぞおちから両肩、後ろでは左右の両肩付近の濃色で示す部位が最も熱がこもるヒートゾーンと言われる部分である。また、淡色で示す部分が最も発汗量が多いスウェットゾーンと言われる部分である。発汗量は平均約４００ｇ／m２であると言われており、体重６５kgの平均的な成人男性の場合、上半身の体表面の面積は約１．７m２であるため、
４００ｇ×１．７m２＝６８０ｇ 
となり、毎時６８０gを発汗している。 
従って平均労働時間の８時間で換算すると、 
６８０ｇ×８時間＝５４４０ｇ 
となり、１日約５．４４リットルもの発汗量に達する。
【００２１】
図１の実施の形態では、上記のヒートゾーンに冷感生地１を配置するとともに、蒸気のスエットゾーンにメッシュ生地２を配置している。 
冷感生地１が配置される部位のサイズは幅７ｃｍ×１２ｃｍとなる。
この部位の発汗量は、 
１０ｃｍ×７２ｃｍ＝０．０７２m２
であり、
０．０７２m２×１，１９７ｇ（スウェットゾーンの経表皮水分蒸散量） 
＝８６．２ｇ／毎時となる。 
次に水の気化潜熱は５８０ｃａｌ／ｇであり、人間の比熱は約０．８３である。 
例えば、体重６０kgの場合、 
６００００ｇ（６０kg）×０．８３＝４９８００ｃａｌとなるため、これだけのエネルギーが奪われたときに体温が１℃低下することになる。 
従って、 
４９８００ｃａｌ÷５８０ｃａｌ/ｇ=８５．８６ｇとなり、冷感生地１が配置された部分の発汗量とほぼ同じになる。そして、この部位にファンウエアの空調ファン４の風を送り続けることで、気化潜熱の効果により、体温を１℃下げる効果が期待できる。 
【００２２】
図１に示す実施の形態では、左右の体側に配置された空調ファン４からの風が、スウェットゾーン上に配置されたメッシュ生地２を通って、冷感生地１が配置されたから首へと抜けるものである。その際、メッシュ生地２は身頃生地３や冷感生地１よりも通気性が高く、空気の流れを阻害することを抑えることができると共に、スウェットゾーンからの湿気を含んだ風をメッシュ生地２に送ることによって気化潜熱の有効利用を図ることができる。
従って、図１の実施の形態に示すアンダーウェアとファンウエアと併用することによって、上記の試算を有効に実現することができる。
なお、図２の実施の形態に示すスポーツウェアとファンウエアと併用することもできる。このスポーツウェアの例では、襟にも冷感生地１を用いたことによって、首に対しても有効な冷却効果を発揮することができる。なお、アンダーウェアと同様の部位にファンウエアを配置して実施することができる。
【００２３】
（冷感生地１について）
上記の実施の形態に示された冷感生地１は、図５〜図８に示すように、複数本の編糸１１によって編成された編地２０によって構成されている。
編地２０は、図５に示すように、少なくとも表面側に凸部２２を備え、凸部２２は平面視において、図６にて点の集合で表記したように略多角形などの環状部２３が並べられたハニカム構造やそれに類似する並列形態を示すものである。この凸部２２は、図６に示すように、３本以上の編糸１１が密接する密集部２４を備えるものであり、裏面側の平編ないしは浮編による基層（凹部２１）から表面側に突出している。図７にその組織図を示す。
【００２４】
編糸１１は、図８に示すように、繊維断面が凹凸を備えたポリエステル繊維製の異形糸である。この異形糸は、４つの繊維凸部１３が略放射状に繊維凹部１２から突出しているのであり、毛細管現象が生じやすい構造を示す。繊維凸部１３の数は４つ以上であることが好ましいが、あまり多くすると断面円形の通常のポリエステル繊維に近くなってしまうため４〜８つの繊維凸部１３を備えたものであることが適当である。
編糸１１は、鉱物からなる冷感結晶体のナノ粒子を含有することによって熱伝導率を高めて瞬間的な熱の移動量を示す接触冷感値（ＱＭＡ×値）が０．２８W/cm２以上のポリエステル繊維糸であることが特に好ましい。
なお、芯にポリエステル、鞘にポリエチレン樹脂とポリビニルアルコール樹脂との複合樹脂などを用いた芯鞘複合繊維を用いて実施しても構わない。
【００２５】
この実施の形態に係る冷感生地１は、ＪＩＳ  Ｌ  １９０７＿２０１０に準拠する繊維製品の吸水性試験方法（滴下法）による吸水性試験結果が１秒である。本考案の滴下法は、弛みなく張られた試験片に対して水を１滴滴下し、水が生地に到達した時点から完全に吸水されるまでの時間（秒）を測定するもので、下記の方法で実施される。
・試験片を円形の保持枠に弛みなく張った状態にて取り付ける。
・試験片上１０mmの高さから水を１滴（約０．０４ml）滴下する。
・水滴が試験片に到達してから水の鏡面反射（キラキラした反射）が完全になくなるまでの時間をストップウォッチで測定する。
【００２６】
より詳しくは、次の器具等で実施される。
1)試験片保持枠は、金属製のリング又はこれと同等に試験片が弛みなく張った状態に保持できるもの。
2)活栓付きビュレット。
3)0.5秒を計測できるストップウォッチ。
4)水の鏡面反射が目で確認できる500l×〜１０00l×の明るさ光源。
5)温度は２０℃±２℃の水。
【００２７】
操作
試料から大きさ約２０0mm×２０0mmの試験片を5枚採取する。次に、試験片を試験片保持枠に取り付け、光源と観察者との間に置く。試験片の表面からビュレットの先端までの距離が１０mmの高さになるように配置する。観察者は水による光の反射が明らかに見える角度から観察する。
ビュレットから水を１滴滴下させる。水滴が試験片の表面に達したときからその試験片が水滴を吸収するにつれて鏡面反射が消え、湿潤だけが残った状態までの時間をストップウォッチで１秒単位まで測定する。
【００２８】
試験結果は，５枚の試験片の平均値を、四捨五入によって整数に丸めて表す。
ＱＴＥＣ  ＴＭ１１Ｂ法準用による保水性試験結果が保水率１８０％〜２１０％となっている。保水率が低すぎると、冷却に必要な水を十分に保持することができない。他方、綿のタオル地のように保水率が４００％に達するなど、保水率が高すぎると、濡らして振る際に、うまく振れず効果的に温度が下がらない。冷感生地１としての用途を考えた場合、保水率１８０％〜２１０％とすることが好ましく、約１時間冷感を保つことができると共に濡らして振る際に、うまく振ることができて効果的に温度を下げることができる。
【００２９】
本考案におけるＱＴＥＣ  ＴＭ１１Ｂ法準用による保水性試とは、
試料の質量を測定し、常温の水に30分間浸漬し、水中より取り出して垂直に吊り下げ10分間放置後直ちに試料の質量を測定し、保水率を次式によって求める。
保水率（％）＝給水量（ｍｌ）／原試験料質量（ｇ）×１００
給水量（ｍｌ）＝浸漬後の質量（ｇ）−原試験料質量（ｇ）
【００３０】
この冷感生地１は、気温２５．７℃、湿度６６％の室内における６０分以内の温度変化が１℃以内であるように構成されている。
そして、熱伝導性と吸水性と保水性のバランスをとることによって、着用した際に優れた冷感効果を発揮するとともに、着用開始後６０分経過した後でも振ることによって冷感が回復する冷感回復性を備えるものである。
【００３１】
（冷感回復性）
この実施の形態に係る冷感生地１にあっては、上記のような冷感回復性を備えているものである。従って、着用時に図１や図２に示す上衣を、濡らして必要に応じて軽く絞った状態で着用することによって、上記の気化潜熱の活用による冷却効果を発揮させることができることはもちろん、その効果を継続的に発揮させることができると共に体を動かすことなどによって生じる発汗による水分を、気化潜熱による冷却効果に活用することができる。
【００３２】
（フェイスガード・アームカバー）
上記の冷感生地１は、図９（Ａ）に示すようなフェイスガードにも適用することができる。このフェイスガードはその全体が冷感生地１の編地によって筒状に構成されており、首回りから顎にかけての部位を良好に冷却することができる。
また、上記の冷感生地１は、図９（Ｂ）に示すようなアームカバーにも適用することができる。このアームカバーはその全体が冷感生地１の筒状の編地によって構成されており、肘から前腕部にかけての部位を良好に冷却することができるし、さらに手の甲などの手を覆うようにしても構わない。また、図示は省略するが手袋やマスクや靴下などに適用することもできる。
【００３３】
（動物用の冷感装着品）
本考案に係る冷感装着品は、動物用の装着品としても実施することができる。
上記の冷感生地１は、図１０（Ａ）に示すような犬などの愛玩動物用の衣服にも適用することができる。この愛玩動物用の衣服は愛玩動物の肩から胴にかけて着用させるもので、その全体又は一部が冷感生地１の編地によって構成されており、冷感生地１が配置された愛玩動物の部位を良好に冷却することができる。なお、今日においては、愛玩動物の衣服は前に示されたものの他に様々な形態のものが提案もしくは実用化されているが、本考案は様々な形態の愛玩動物用の衣服に適用することもできるし、愛玩動物用のハーネスに適用して実施することもできる。
また、上記の冷感生地１は、図１０（Ｂ）に示すような馬用のネックカバーにも適用することができる。このネックカバーはその全体が冷感生地１の筒状の編地によって構成されており、馬の首を良好に冷却することができる。さらに顔面や胴などを覆うようにしても構わないし、その一部分のみに冷感生地１を配置しても構わない。また、愛玩動物や馬以外の動物についても、本考案を適用することができる。
【実施例】
【００３４】
以下、本考案の理解を高めるために実施例を示すが、本考案はこの実施例に限定して理解されるべきではない。
（実施例１）
図８に示す繊維断面が凹凸を備えたポリエステル繊維製の異形糸（７５Ｄ  １４４Ｆ）７５デニール  １４４フィラメントを用いて、図６、図７に示す組織を備えた編地によって図５に示す冷感生地１を作成した。
比較例として、市販の３種類のタオル生地（比較例１〜３）について、吸水性、保水性、紫外線遮蔽率及び接触冷温感に関する試験を日本繊維製品品質技術センターの中四国試験センターにて行い、その試験結果を表１に示した。
【００３５】
【表１】
0003232073.tif 000003
【００３６】
（乾燥性と温度の試験）
次に実施例１と比較例２とについて、乾燥性と温度の試験を行い、その結果を図１１に示した。
【００３７】
この試験は、室温２５．７℃、湿度６６％の室内にて、それぞれの長方形の生地について水道水で濡らした後、２５ｃｍ程度の長さに折りたたみ常法によって絞り動作（両端を持った左右の手を約１８０度回して絞る動作）を２回行なった後に、振る動作（広げたそれぞれの生地の左上端と右上端を左右の手で持って体の前方に広げ、両手を顔の高さまで上げた後に素早く手首を返しながら腕を振り下ろす動作）を６回行なった後、ハンガーに幅方向に沿って二つ折りにしてぶら下げて、試験開始時点（図１１（Ａ））から６３分経過（図１１（E））までのサーモグラフィーによる温度変化と触感による水分状態の変化を観察したものである。これらの図において、実施例１は右側aに配置され、比較例２は左側bに配置されている。
【００３８】
試験開始時点（図１１（Ａ））：実施例１及び比較例２ともほぼ全体が濡れており、表面温度は約２１℃であった。
試験開始後４７分経過（図１１（Ｂ））：実施例１は全体が濡れており、表面温度は約２１℃であった。比較例２は上部の一部に乾燥が見られた。
試験開始後５３分経過（図１１（Ｃ））：実施例１は全体が濡れており、表面温度は約２１℃であった。比較例２は上半分に乾燥が見られ、当該部分の温度が約２４℃に上昇した。
試験開始後６０分経過（図１１（Ｄ））：実施例１は全体が濡れており、表面温度は約２１℃であった。比較例２は上部２／３に乾燥が見られ、当該部分の温度は約２４℃であった。
試験開始後６３分経過（図１１（Ｅ））：実施例１は全体が濡れており、表面温度は約２１℃であった。比較例２は略全体に乾燥が見られ、当該部分の温度が約２４℃であった。
実施例１と比較例２の温度変化のグラフを図１１（Ｅ）に示した。グラフ中、ａは実施例１の温度変化を示し、ｂは比較例２の温度変化を示す。
【００３９】
（冷感回復性の試験）
次に実施例１について、冷感回復性の試験を行った。
この試験は、前述の乾燥性と温度の試験と同様な室内で、実施例１の冷感生地をぬるま湯で濡らした後、乾燥性と温度の試験と同じく絞る動作（２回）と振る動作（６回）を行い、テスターの首にかけて両端をクロスさせた状態とし、テスターの体温で暖かくなった後に、振る動作（６回）を行ったもので、その温度変化の状態をサーモグラフィーで観察し、その結果を図１２に示した。
【００４０】
図１２（Ａ）：実施例１の冷感生地をぬるま湯で濡らして広げた状態を示すもので、生地の略全面が高温（薄白色）となっていることが示されている。
図１２（Ｂ）：絞る動作（２回）と振る動作（６回）を行なって生地を広げた状態を示すもので、生地の略全面が低温（濃厚色）となっていることが示されている。
図１２（Ｃ）：生地をテスターの首にかけて両端をクロスさせた当初の状態を示すもので、生地の略全体が低温（濃厚色）であることが示されている。
図１２（Ｄ）：生地がテスターの体温で暖かくなった状態を示すもので、テスターの手より上では、生地の略全体が高温（薄白色）であることが示されている。
図１２（Ｅ）：生地をテスターの首からはずして広げた状態を示すもので、生地の上部約２／３では高温（薄白色）であることが示され、下部約１／３では低温（濃厚色）であることが示されている。
図１２（Ｆ）（Ｇ）：再度振る動作（６回）を行なっている状態と、これを広げた状態を示すもので、生地の略全面が低温（濃厚色）に戻っていることが示されている。
以上のように本考案の冷感生地は、着用開始後に体温で温かくなってしまっても、振ることによって冷感効果が回復することが確認されたものである。
【００４１】
（スポーツウェアのサーモグラフィー試験）
図２に示すスポーツウェアについて、サーモグラフィーによる簡易試験を行った。冷感生地１には実施例１に係る生地を用い、身頃生地３にはポリエステル繊維による吸汗速乾素材の生地を用いた。
試験は、気温約２７℃の室内にて、地肌に直接スポーツウェアを着用し、霧吹きにて水を全体に噴霧し、約２０分経過後にスポーツウェアの胸を掴んで、５回前後に振る動作を行ない、図１３に示すサーモグラフィーによって、表面温度を確認した。その結果、前身頃のみぞおち部分では、２５．８℃の低温となっていることが確認されると共に、胸から肩にかけての部分（上記の振る動作を行うことで生地が動いた部分）でも同程度の温度となっていることがサーモグラフィーの色彩によって確認された。
冷感生地１の部分は霧吹き後２０分経過しても適度に保水し、掴んで振ったあとは気化作用で温度が下がるが、身頃生地３の部分は吸汗速乾素材のため、急速に乾いていることが確認された。
従って、運動中であれば発汗により、冷感生地１の部分は吸水し続けるので、効果は継続的に続くと考えられる。
【００４２】
（スポーツウェアとファンウエアのサーモグラフィー試験）
図２に示すスポーツウェアをファンウェアとの組み合わせて、サーモグラフィーによる簡易試験を行った。冷感生地１には実施例１に係る生地を用い、身頃生地３にはポリエステル繊維による吸汗速乾素材の生地を用いた。その上に、市販のファンウエアを着用した。
まず図１４（Ａ）に示すように、外気温約36℃の日陰において、地肌に直接スポーツウェアを着用して、その温度を測定したところ、その表面温度は外気温とほぼ等しい約36℃であった。
次に図１４（Ｂ）に示すように、スポーツウェアの上からファンウェアを着て後身頃下部の左右の空調ファンを作動させ、約１０分経過後に、ファンウェアの後身頃の表面温度を確認したところ、３７．５ ℃であったが、サーモグラフィーの色彩から肩を中心に温度が下がっていることが視認された。
最後に図１４（Ｃ）に示すように、ファンウェアの着用後約１５分経過後に、ファンウェアを脱いで、スポーツウエアの温度を確認した。図１４（Ｃ）の左側に示す前身頃では３２．５℃であり、図１４（Ｃ）の右側に示す後身頃では３２．７℃であった。
スポーツウエアの冷感生地１の部分は長時間保水し続けるので、 効果は継続的に続くと考えられる。また、襟にも冷感生地１を使うことにより、ファンウェアの吹き出し口と相まって首廻りが冷やされ、効果的に冷感を維持することが出来る。
【符号の説明】
【００４３】
１    冷感生地
２    メッシュ生地
３    身頃生地
１１  編糸
１２  繊維凹部
１３  繊維凸部
２０  編地
２１  凹部
２２  凸部
２３  環状部
２４  密集部
【図１】
0003232073.tif 000004
【図２】
0003232073.tif 000005
【図３】
0003232073.tif 000006
【図４】
0003232073.tif 000007
【図５】
0003232073.tif 000008
【図６】
0003232073.tif 000009
【図７】
0003232073.tif 000010
【図８】
0003232073.tif 000011
【図９】
0003232073.tif 000012
【図１０】
0003232073.tif 000013
【図１１】
0003232073.tif 000014
【図１２】
0003232073.tif 000015
【図１３】
0003232073.tif 000016
【図１４】
0003232073.tif 000017